(57)【要約】【課題】励磁コイル１２への通電開始から遅れて端子部間が閉成する電磁継電器１０の提供。【解決手段】電磁継電器１０は、可動室１７を有するコイルボビン１１に巻線を巻装して形成され、ヨーク１３内にグランドプレート１４により固定される励磁コイル１２と、固定鉄心２と中間可動鉄心３との間に配される下部リターンスプリング１５と、中間可動鉄心３と上部可動鉄心４との間に配される上部リターンスプリング１６と、作動室５１の外周に端子貫通孔５３、５４を形成し、ヨーク１３の開口部に嵌合するカバーアッセンブリ５と、カバーアッセンブリ５内に臨む固定接点６２、７２を有し、端子貫通孔５３、５４に貫設される端子部６、７と、作動室５１内に嵌挿され、下面がシャフト４４で押されて固定接点６２、７２の上方に臨む可動接点８と、可動接点８より上方の作動室５１内に配される接点圧スプリング８１とを具備する。【選択図】図１
2005056690.tif 000002
【特許請求の範囲】
【請求項１】
有底筒状のハウジングと、
軸方向に可動室を有し、ハウジング内に固定される励磁コイルと、
可動室奥のハウジング内壁に固定される固定鉄心と、
前記固定鉄心より入口側の可動室内に嵌挿される第１の可動鉄心と、
前記固定鉄心と前記第１の可動鉄心との間に配設され、前記第１の可動鉄心を入口方向に付勢する第１の押しバネと、
前記第１の可動鉄心より入口側の可動室内に嵌挿される第２の可動鉄心と、
前記第１、第２の可動鉄心間に配設され、各可動鉄心が互いに離れる方向に付勢する第２の押しバネと、
前記第２の可動鉄心の入口側面に固着される電気絶縁性のシャフトと、
中心軸方向に作動室を形成し、この作動室の両側に一組の端子貫通孔を形成し、前記ハウジングの開口部を封止する電気絶縁性の蓋体と、
前記端子貫通孔に貫設され、蓋体内に臨む先端が固定接点を形成する一組の端子部と、  作動室内に嵌挿され、前記シャフトで押されて前記固定接点から離れた位置に臨む可動接点と、
前記作動室内に圧縮状態で配設され、前記可動接点を固定接点方向に付勢する第３の押しバネとを具備する遅延作動式の電磁継電器。
【請求項２】
有底円筒状のヨークと、
中心軸方向に円筒状の可動室を有するリング状のボビンに巻線を巻装して形成され、グランドプレートによりヨーク内に固定される励磁コイルと、
可動室奥のヨーク内底に固定される円柱状の固定鉄心と、
前記固定鉄心より上方の可動室内に嵌挿される円柱状の中間可動鉄心と、
前記固定鉄心と前記中間可動鉄心との間に圧縮状態で配設され、これら鉄心間に第１の間隙が生じる様に、前記固定鉄心に対して前記中間可動鉄心を上方に付勢する下部リターンスプリングと、
前記中間可動鉄心より上方の可動室内に嵌挿される円柱状の上部可動鉄心と、
上部、中間可動鉄心間に圧縮状態で配設され、前記上部、中間可動鉄心間に第２の間隙が生じる様に、前記上部、中間可動鉄心が互いに離れる方向に付勢する上部リターンスプリングと、
前記上部可動鉄心の上端側に固着される電気絶縁性のシャフトと、
中心軸方向に筒状の作動室を形成し、この作動室の両側に一組の端子貫通孔を形成し、前記ヨークの開口部を封止する電気絶縁性の蓋体と、
前記端子貫通孔に貫設され、蓋体内に臨む先端が板状の固定接点を形成する一組の端子部と、
作動室内に嵌挿され、下面が前記シャフトで押されて前記固定接点の上方に臨む板状の可動接点と、
該可動接点より上方の作動室内に圧縮状態で配設される接点圧スプリングとを具備する遅延作動式の電磁継電器。
【請求項３】
前記励磁コイルが励磁していない非通電時において、前記グランドプレートより上方に、前記上部可動鉄心が突出していることを特徴とする請求項２に記載の遅延作動式の電磁継電器。
【請求項４】
前記励磁コイルの非通電時において、前記第１の間隙の軸方向距離が、前記第２の間隙の軸方向距離より短くなる様に、前記上部、下部リターンスプリングのバネ定数および撓み量が設定されていることを特徴とする請求項２または請求項３に記載の遅延作動式の電磁継電器。
【請求項５】
請求項１乃至請求項４の何れかに記載の遅延作動式の電磁継電器と、
励磁コイルへの通電により接点が直ちに閉成状態になる他の電磁継電器と、
電源と、前記遅延作動式の電磁継電器の前記一組の端子部と、電気負荷とを直列に電気接続した遅延通電回路と、
前記電源と、前記他の電磁継電器の接点と、電流制限用抵抗と、前記電気負荷とを直列に電気接続した通電回路とを備えた電気負荷通電装置。
【発明の詳細な説明】
【技術分野】
【０００１】
本発明は、電気自動車モータの通電、スタータモータの通電、スタータのマグネットスイッチ開閉、グロープラグの通電、またはヒータの通電に好適な遅延作動式の電磁継電器に関する。
【背景技術】
【０００２】
特許文献１には、図５の（ａ）に示す如く、通電により磁力が発生する励磁コイル１０１、この磁力を吸引力に変換するための固定磁路部材（固定鉄心１０２、ヨーク１０３、プレート１０４）、プランジャ１０５、およびリターンスプリング１０６を有するソレノイド部１０７と、このソレノイド部１０７の上側に絶縁固定されるスイッチ部１０８とからなる電磁継電器１００が記載されている。
【０００３】
励磁コイル１０１に通電すると磁力が発生してプランジャ１０５が固定鉄心１０２に吸引され、シャフト１０９の支持が外れるので、スイッチ部１０８の可動接点１１０が瞬時に固定接点１１１に接触し、図５の（ｂ）に示す状態になる。
【特許文献１】特開２００２−２０８３３８  （第１頁−第４頁、図１、図３）
【発明の開示】
【発明が解決しようとする課題】
【０００４】
この電磁継電器１００を図６の（ａ）のモータ通電装置に示す様に結線して、励磁コイル１０１に通電して励磁電流を流すと、電気負荷がモータ１１２の場合には、図６の（ｂ）に示す様に、接点閉成時に大きな突入電流１１３が流れるので、接点劣化、バッテリ劣化、および電源電圧ドロップを招く。
【０００５】
このため、例えば、接点に直列に電流制限抵抗を電気接続した第２の電磁継電器を用意し、始動信号が入力すると第２の電磁継電器のコイルへの通電を開始し、始動信号の入力から遅れて電磁継電器１００の励磁コイル１０１への通電を開始する遅延回路を設け、第２の電磁継電器の接点閉成から所定時間経過後に電磁継電器１００の接点が閉成して正規の作動用電力がモータ１１２へ供給される様に電気負荷通電装置を構成して、突入電流１１３を抑えていた。しかし、遅延回路をマイクロコンピュータ等を用いて構成する必要があるのでコスト高を招いていた。
【０００６】
本発明の第１の目的は、励磁コイルへの通電開始から遅れて端子部間が閉成する電磁継電器の提供にある。
本発明の第２の目的は、励磁コイルへの通電開始から遅れて、正規の作動用電力が電源から電気負荷へ供給される電気負荷通電装置の提供にある。
【課題を解決するための手段】
【０００７】
〔請求項１について〕
励磁コイルは、軸方向に可動室を有し、有底筒状のハウジング内に固定される。
可動室奥のハウジング内壁には、固定鉄心が固定されている。
固定鉄心より入口側の可動室内には、第１の可動鉄心が嵌挿されている。
固定鉄心と第１の可動鉄心との間には、可動室の入口方向に第１の可動鉄心を付勢する第１の押しバネが配設されている。
第１の可動鉄心より入口側の可動室内には、入口側面に電気絶縁性のシャフトを固着した第２の可動鉄心が嵌挿されている。
第１、第２の可動鉄心間には、各可動鉄心が互いに離れる方向に付勢する第２の押しバネが配設されている。
【０００８】
ハウジングの開口部を封止する電気絶縁性の蓋体は、中心軸方向に作動室を形成し、この作動室の両側に一組の端子貫通孔を形成している。これら端子貫通孔には、蓋体内に臨む先端が固定接点を形成する一組の端子部が貫設されている。
作動室内には、シャフトで押されて固定接点から離れた位置に臨む可動接点が嵌挿されている。また、第３の押しバネが圧縮状態で作動室内に配設され、可動接点を固定接点方向に付勢する。
【０００９】
励磁コイルに通電を開始すると、固定鉄心により磁路が形成されて磁力が発生し、この磁力が第１の押しバネの復元力に打ち勝って、第１の可動鉄心が可動室内を変移して固定鉄心に吸着する。
第１の可動鉄心の固定鉄心への吸着により、第１の可動鉄心が固定鉄心とともに磁路の一部となって磁力が発生し、この磁力が第２の押しバネの復元力に打ち勝ち、第２の可動鉄心が可動室内を変移して、固定鉄心に吸着している第１の可動鉄心に吸着する。
第２の可動鉄心の第１の可動鉄心への吸着により、可動接点からシャフトが外れる。
可動接点は、第３の押しバネの復元力により固定接点に当接し、これにより、固定接点間が導通状態になり、端子部間も導通状態になる。
【００１０】
遅延作動式の電磁継電器は、第１の可動鉄心が固定鉄心に吸着した後に、第２の可動鉄心が第１の可動鉄心に吸着するので、励磁コイルへの通電開始から遅延して端子部間を導通状態にすることができる。
【００１１】
〔請求項２について〕
励磁コイルは、中心軸方向に円筒状の可動室を有するリング状のボビンに巻線を巻装して形成され、有底円筒状のヨーク内にグランドプレートにより固定される。
可動室奥のヨーク内底には、円柱状の固定鉄心が固定されている。
固定鉄心より上方の可動室内には、円柱状の中間可動鉄心が嵌挿されている。
【００１２】
固定鉄心と中間可動鉄心との間には、これら鉄心間に第１の間隙が生じる様に、固定鉄心に対して中間可動鉄心を上方に付勢する下部リターンスプリングが圧縮状態で配設されている。
中間可動鉄心より上方の可動室内には、円柱状の上部可動鉄心が嵌挿されている。この上部可動鉄心の上端側には、電気絶縁性のシャフトが固着されている。
上部、下部可動鉄心間には、上部、下部可動鉄心間に第２の間隙が生じる様に、上部、下部可動鉄心が互いに離れる方向に付勢する上部リターンスプリングが配設されている。  
【００１３】
ヨークの開口部を封止する電気絶縁性の蓋体は、中心軸方向に筒状の作動室を形成し、この作動室の両側に一組の端子貫通孔を形成している。これら端子貫通孔には、蓋体内に臨む先端が板状の固定接点を形成する一組の端子部が貫設されている。
作動室内には、下面がシャフトで押されて固定接点の上方に臨む板状の可動接点が嵌挿されている。また、接点圧スプリングが、可動接点より上方の作動室内に圧縮状態で配設されている。
【００１４】
励磁コイルに通電を開始すると、固定鉄心により磁路が形成されて磁力が発生し、この磁力が下部リターンスプリングの復元力に打ち勝って、中間可動鉄心が可動室内を変移して固定鉄心に吸着する。
中間可動鉄心の固定鉄心への吸着により、中間可動鉄心が固定鉄心とともに磁路の一部となって磁力が発生し、この磁力が上部リターンスプリングの復元力に打ち勝ち、上部可動鉄心が可動室内を変移して、固定鉄心に吸着している中間可動鉄心に吸着する。
上部可動鉄心の中間可動鉄心への吸着により、可動接点からシャフトが外れる。
可動接点は、接点圧スプリングの復元力により固定接点に当接し、これにより、固定接点間が導通状態になり、端子部間も導通状態になる。
【００１５】
遅延作動式の電磁継電器は、中間可動鉄心が固定鉄心に吸着した後に、上部可動鉄心が中間可動鉄心に吸着するので、励磁コイルへの通電開始から遅延して端子部間を導通状態にすることができる。
【００１６】
〔請求項３について〕
遅延作動式の電磁継電器は、励磁コイルが励磁していない非通電時において、グランドプレートより上方に、上部可動鉄心を突出させている。
このため、励磁コイルに通電を開始し、固定鉄心により磁路が形成されて磁力が発生する際に、中間可動鉄心が固定鉄心に吸着するまでは、上部可動鉄心を磁路外に臨ませることができ、充分な遅延時間を確保することができる。
【００１７】
〔請求項４について〕
遅延作動式の電磁継電器は、励磁コイルの非通電時において、第１の間隙の軸方向距離が、第２の間隙の軸方向距離より短くなる様に、上部、下部リターンスプリングのバネ定数および撓み量が設定されている。
これにより、中間可動鉄心を先に固定鉄心に吸着させ、その後、固定鉄心へ吸着した中間可動鉄心に上部可動鉄心を吸着させることができる。
【００１８】
〔請求項５について〕
電気負荷通電装置は、請求項１〜４の何れかの遅延作動式の電磁継電器を用いた遅延通電回路と、励磁コイルへの通電により接点が直ちに閉成状態になる他の電磁継電器を用いた通電回路とにより、電気負荷に通電を行う。
【００１９】
遅延通電回路は、電源と、遅延作動式の電磁継電器の一組の端子部と、電気負荷とを直列に電気接続している。
通電回路は、電源と、他の電磁継電器の接点と、電流制限用抵抗と、電気負荷とを直列に電気接続している。
【００２０】
電気負荷通電装置は、マイクロコンピュータ等による遅延回路を設けることなく、励磁コイルへの通電開始から遅れて、正規の作動用電力を電源から電気負荷へ供給することができる。
【発明を実施するための最良の形態】
【００２１】
中心軸方向に円筒状の可動室を有するリング状のボビンに巻線を巻装して形成され、有底円筒状のヨーク内にグランドプレートにより固定される励磁コイルと、可動室奥のヨーク内底に固定される円柱状の固定鉄心と、前記固定鉄心より上方の可動室内に嵌挿される円柱状の中間可動鉄心と、前記固定鉄心と前記中間可動鉄心との間に圧縮状態で配設され、これら鉄心間に第１の間隙が生じる様に、前記固定鉄心に対して前記中間可動鉄心を上方に付勢する下部リターンスプリングと、前記中間可動鉄心より上方の可動室内に嵌挿される円柱状の上部可動鉄心と、各可動鉄心間に圧縮状態で配設され、各可動鉄心間に第２の間隙が生じる様に、各可動鉄心が互いに離れる方向に付勢する上部リターンスプリングと、前記上部可動鉄心の上端側に固着される電気絶縁性のシャフトと、中心軸方向に筒状の作動室を形成し、この作動室の両側に一組の端子貫通孔を形成し、前記ヨークの開口部を封止する電気絶縁性の蓋体と、前記端子貫通孔に貫設され、蓋体内に臨む先端が板状の固定接点を形成する一組の端子部と、作動室内に嵌挿され、下面が前記シャフトで押されて前記固定接点の上方に臨む板状の可動接点と、該可動接点より上方の作動室内に圧縮状態で配設される接点圧スプリングとを具備することにより、励磁コイルへの通電開始から遅れて端子部間が閉成する電磁継電器を実現した。
【実施例１】
【００２２】
本発明の実施例１に係る電磁継電器１０を図１〜図３に基づいて説明する。
電磁継電器１０は、図１〜図３に示す如く、ソレノイド部２０と、ソレノイド部２０の上側に設けられる接点部３０とからなる。
ソレノイド部２０は、コイルボビン１１に巻線を巻装した励磁コイル１２と、この磁力を吸引力に変換するための固定磁路部材（ヨーク１３、固定鉄心２、グランドプレート１４）と、中間可動鉄心３と、上部可動鉄心４と、下部リターンスプリング１５および上部リターンスプリング１６とを有する。
【００２３】
コイルボビン１１は、外形が略ドーナツ状を呈し、中心軸方向に円筒状の可動室１７を有する。励磁コイル１２は、励磁電流が巻線に流されると磁力が発生する。
ヨーク１３は、上部が薄肉で底部が肉厚である有底円筒状を呈し、ソレノイド部２０のハウジングを兼ねている。このヨーク１３は、磁界を発生させるためのものであり、軟鉄で形成されている。
【００２４】
固定鉄心２（軟鉄製）は、円柱状を呈し、ヨーク１３の内底中心部に下部が固定されている。また、固定鉄心２の上部外周には下部リターンスプリング１５を介挿するための上側段２１が形成されている。
グランドプレート１４（軟鉄製）は、励磁コイル１２をヨーク１３の内壁面に固定するためのものである。
【００２５】
中間可動鉄心３（軟鉄製）は、外壁に上側段３１を有する上部と、外壁に下側段３２を有する下部と、中間の中間部とからなり、外形が略円柱状を呈する。この中間可動鉄心３は、非通電時において、励磁コイル１２の略中間位置の可動室１７内に位置する。
【００２６】
上部可動鉄心４（軟鉄製）は、上面中央に凹部４１が形成され、外壁下部に下側段４２を有し、外形が略円柱状を呈する。この上部可動鉄心４（軟鉄製）は、非通電時において、鉄心上面４３がグランドプレート１４より若干上方の可動室１７内に位置している。これにより、中間可動鉄心３が固定鉄心２に吸引されるまで、上部可動鉄心４が磁気回路から外れる。また、上部可動鉄心４の凹部４１には、絶縁性のプラスチックで形成したシャフト４４の下部が固着され、シャフト４４は上部可動鉄心４と一体的に上下動する。
【００２７】
下部リターンスプリング１５は、固定鉄心２の上側段２１と、中間可動鉄心３の下側段３２との間の隙間に介挿され、励磁コイル１２の非通電時において、中間可動鉄心３を上方に付勢している。
上部リターンスプリング１６は、上部可動鉄心４の下側段４２と、中間可動鉄心３の上側段３１との間の隙間に介挿され、励磁コイル１２の非通電時において、上部可動鉄心４と中間可動鉄心３とが互いに離れる様に付勢している。
【００２８】
接点部３０は、蓋体であるカバーアッセンブリ５と、一組の端子部６、７と、円板状の可動接点８と、接点圧スプリング８１とを有する。
カバーアッセンブリ５は、作動室５１を中心軸方向に形成し、作動室５１の外周に、対向して端子貫通孔５３、５４を軸方向に形成している。このカバーアッセンブリ５は、電気絶縁性のプラスチックで形成され、Ｏリング５５を介してヨーク１３の開口部に気密的に嵌合している。
作動室５１は、可動接点８を係止するストッパ面５０を有する円筒状の下側入口部と、接点圧スプリング８１が配設される奥部とからなる。
【００２９】
端子部６、７は、良電導性金属で形成され、Ｏリング５６を介して端子貫通孔５３、５４に貫設され、外部に露出するターミナル６１、７１と、カバーアッセンブリ５内に臨む固定接点６２、７２とを備える。
ターミナル６１、７１は、バッテリ側の被覆線を電気接続した金具およびモータ側の被覆線を電気接続した金具をネジ止めするためのものである。
【００３０】
固定接点６２、７２は、カバーアッセンブリ５内の略中央に、可動接点８と所定距離を隔てて水平に配設されている。
可動接点８は、作動室５１の下側入口部内に嵌挿され、下面がシャフト４４で押されて固定接点６２、７２の上方に臨んでいる。
【００３１】
励磁コイル１２の非通電時において、可動接点８は、上方から接点圧スプリング８１により下方に付勢されているが、シャフト４４を固着した上部可動鉄心４が強い力で上方に付勢されているので、ストッパ面５０まで上方に押し上げられている。
【００３２】
下部リターンスプリング１５、上部リターンスプリング１６、および接点圧スプリング８１は、巻径が均等のコイル形状を呈する押しバネ（圧縮バネ）である。
励磁コイル１２の非通電時において、接点圧スプリング８１の復元力により発生する可動接点８を下方へ付勢する力が、下部リターンスプリング１５の復元力と上部リターンスプリング１６の復元力とにより発生するシャフト４４を上方へ付勢する力より小さくなる様に接点圧スプリング８１のバネ定数が設定されている。
【００３３】
また、励磁コイル１２の非通電時において、固定鉄心２と中間可動鉄心３との間の間隙２２の軸方向距離が、上部可動鉄心４と中間可動鉄心３との間の間隙３３の軸方向距離より短くなる様に、上部リターンスプリング１６と下部リターンスプリング１５のバネ定数および撓み量が設定されている。
【００３４】
なお、上部リターンスプリング１６には、接点圧スプリング８１により発生する可動接点８を下方へ付勢する力が加わっている。また、下部リターンスプリング１５には、接点圧スプリング８１により発生する可動接点８を下方へ付勢する力が加わっている。
【００３５】
図１に示す非励磁状態の電磁継電器１０は、励磁コイル１２に励磁電流が流れると、図２の過渡状態を経て、図３に示す状態になり、可動接点８が固定接点６２、７２に圧接する。つまり、通電開始から所定時間、遅延して接点部３０の接点が閉成する。
【００３６】
本実施例の電磁継電器１０は、以下に示す利点を有する。
電磁継電器１０は、励磁コイル１２の励磁によって中間可動鉄心３が固定鉄心２に吸着した後に、上部可動鉄心４が中間可動鉄心３に吸着する様に作動するので、励磁コイル１２への通電開始から所定時間、遅延して接点部３０の接点が導通状態になる。
【００３７】
このため、正規の作動用電力を遅延して通電する必要がある電気負荷へ、電磁継電器１０の接点部３０の接点を介して通電する様にすれば、マイクロコンピュータ等を用いて遅延回路を構成する必要がなく、低コストで済む。なお、上記電気負荷は、電気自動車モータ、スタータモータ、スタータのマグネットスイッチ、グロープラグ、またはヒータ等である。
【実施例２】
【００３８】
つぎに、実施例２に係るモータ通電装置９０について説明する。
モータ通電装置９０は、図４の（ａ）に示す如く、実施例１の遅延作動式の電磁継電器１０と、励磁コイル１０１（図５参照）への通電により接点が直ちに閉成状態になる従来形の電磁継電器１００と、電源であるバッテリ９１と、電磁継電器１０の端子部６、７と、電気負荷であるモータ９２とを直列に電気接続した遅延通電回路９３と、バッテリ９１と、他の電磁継電器である電磁継電器１００の接点と、電流制限用抵抗９４とを直列に電気接続した通電回路９５とを備え、始動信号の入力により励磁電流９６が励磁コイル１２（図１参照）、１０１に同時に流れる様に構成している。
【００３９】
図４の（ｂ）に示す経過時間ｔ１において、励磁電流９６が、励磁コイル１２、１０１へ同時に流れる。これにより、励磁コイル１０１が励磁し、電磁継電器１００の接点が瞬時に閉成状態になり、電流制限用抵抗９４により制限された起動電流がモータ９２に流れ、モータ９２が回転を開始する。
【００４０】
経過時間ｔ１から所定時間が経過すると、経過時間ｔ２において、電磁継電器１０の端子部６、７間が閉成状態になり、モータ９２とバッテリ９１とが直接、電気接続され、モータ９２へ定常電流が流れる。なお、所定時間は、起動電流が安定するのに必要な遅延時間であり、数百ｍｓ〜数秒に設定されている。
経過時間ｔ３において、励磁コイル１２、１０１への励磁電流９６の供給を同時に停止すると、電磁継電器１０、１００の接点が開成する。
【００４１】
本実施例のモータ通電装置９０は、以下に示す利点を有する。
モータ通電装置９０は、マイクロコンピュータ等による遅延回路を設けることなく、励磁コイル１２への通電開始から遅れて端子部６、７間が閉成状態になるので、遅延して、正規の作動用電力をバッテリ９１からモータ９２へ供給することができる。
このため、始動時に大きな起動電流が流れないので、電磁継電器１０、１００の接点劣化、バッテリ９１の劣化、および電源電圧ドロップを防止できる。
また、遅延回路をマイクロコンピュータ等を用いて構成する必要がないので、製造コストを低減することができる。
【図面の簡単な説明】
【００４２】
【図１】本発明の実施例１に係る電磁継電器（非励磁状態）の断面図である。
【図２】その電磁継電器（過渡状態）の断面図である。
【図３】その電磁継電器（所定時間経過後）の断面図である。
【図４】（ａ）は本発明の実施例２に係るモータ通電装置の電気回路図であり、（ｂ）はそのモータ通電装置の各電磁継電器に励磁電流を流した時の接点状態を示すタイミングチャートである。
【図５】（ａ）は従来の電磁継電器の非励磁状態の断面図であり、（ｂ）は励磁状態の断面図である。
【図６】（ａ）は従来の電磁継電器の電気回路図であり、（ｂ）はそのモータ通電装置の電磁継電器に励磁電流を流した時において、経過時間に対する、接点状態および電流変化を示すタイミングチャートである。
【符号の説明】
【００４３】
２  固定鉄心
３  中間可動鉄心（第１の可動鉄心）
４  上部可動鉄心（第２の可動鉄心）
５  カバーアッセンブリ（蓋体）
６、７  端子部
８  可動接点
１０  電磁継電器（遅延作動式の電磁継電器）
１１  コイルボビン
１２  励磁コイル
１３  ヨーク（ハウジング）
１４  グランドプレート
１５  下部リターンスプリング（第１の押しバネ）
１６  上部リターンスプリング（第２の押しバネ）
１７  可動室
２２  間隙（第１の間隙）
３３  間隙（第２の間隙）
４４  シャフト
５１  作動室
５３、５４  端子貫通孔
６２、７２  固定接点
８１  接点圧スプリング（第３の押しバネ）
９０  モータ通電装置（電気負荷通電装置）
９１  バッテリ（電源）
９２  モータ（電気負荷）
９３  遅延通電回路
９４  電流制限用抵抗
９５  通電回路
１００  電磁継電器（他の電磁継電器）
【図１】
2005056690.tif 000003
【図２】
2005056690.tif 000004
【図３】
2005056690.tif 000005
【図４】
2005056690.tif 000006
【図５】
2005056690.tif 000007
【図６】
2005056690.tif 000008